【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
通信回線を介して、複数の発言端末装置が接続され、該発言端末装置間でメディア情報を送受信可能にするメディア会議サーバ装置と、
前記通信回線を介して、前記メディア会議サーバ装置と接続されるとともに、少なくとも１つの聴講端末装置が接続され、該聴講端末装置に対して前記発言端末装置間で送受されるメディア情報を配信するストリーミングサーバ装置とを備え、
前記メディア会議サーバ装置は、前記聴講端末装置のいずれかから前記通信回線を介して発言端末装置への接続要求を受信すると、前記メディア会議サーバ装置が現在接続する発言端末装置の数に応じて、該接続要求元の聴講端末装置を接続予約端末装置として登録するか、発言端末装置としてメディア会議サーバ装置へ接続するかを選択することを特徴とするメディア会議システム。
【請求項２】
前記メディア会議サーバ装置は、前記メディア会議サーバ装置が現在接続する発言端末装置の数が最大接続可能端末装置数に達している場合、前記接続要求元の聴講端末装置を前記接続予約端末装置として登録することを特徴とする請求項１記載のメディア会議システム。
【請求項３】
前記メディア会議サーバ装置は、該メディア会議サーバ装置が接続する発言端末装置の数が最大接続可能端末装置数未満である場合、前記接続要求元の聴講端末装置の接続先を前記ストリーミングサーバ装置から前記メディア会議サーバ装置へ変更するように、前記通信回線を介して、前記接続要求元の聴講端末装置に対して前記メディア会議サーバ装置との接続を指示することを特徴とする請求項１または２記載のメディア会議システム。
【請求項４】
前記接続要求は、前記接続要求元の聴講端末装置から前記通信回線を介して前記メディア会議サーバ装置へ送信されるＤＴＭＦ信号であることを特徴とする請求項１ないし３のいずれか１つに記載のメディア会議システム。
【請求項５】
前記接続要求は、前記接続要求元の聴講端末装置から前記通信回線を介して前記メディア会議サーバ装置へ送信されるメディア情報であることを特徴とする請求項１ないし３のいずれか１つに記載のメディア会議システム。
【請求項６】
前記メディア会議サーバ装置は、前記通信回線を介してメディア会議に参加していない端末装置からの接続要求を受信すると、該メディア会議サーバ装置が現在接続する発言端末装置の数に応じて、該接続要求元の端末装置を聴講端末装置とするか、発言端末装置とするかを選択することを特徴とする請求項１記載のメディア会議システム。
【請求項７】
前記メディア会議サーバ装置は、該メディア会議サーバ装置が現在接続する発言端末装置の数が最大接続可能端末装置数に達している場合、前記通信回線を介して前記受信された接続要求を前記ストリーミングサーバ装置へ転送するとともに、前記該接続要求元の端末装置を接続予約端末装置として登録し、
前記ストリーミングサーバ装置は、前記転送された接続要求に基づいて前記接続要求元の端末装置を聴講端末装置として接続することを特徴とする請求項６記載のメディア会議システム。
【請求項８】
前記メディア会議サーバ装置は、該メディア会議サーバ装置が現在接続する発言端末装置の数が最大接続可能端末装置数未満である場合、前記接続要求元の端末装置を発言端末装置として接続することを特徴とする請求項６または７記載のメディア会議システム。
【請求項９】
前記メディア会議サーバ装置は、該メディア会議サーバ装置が現在接続する前記発言端末装置の数が最大接続可能端末装置数に達しておりかつ前記接続予約端末装置として登録されている聴講端末装置がある場合に、前記発言端末装置のそれぞれのメディア情報の送信の状況に基づいてメディア情報の送信が所定時間ないまたはメディア情報の送信の回数が少ない発言端末装置を特定し、該特定された発言端末装置の接続先を前記メディア会議サーバ装置から前記ストリーミングサーバ装置へ変更するように、前記通信回線を介して、前記特定された発言端末装置に対して前記メディア会議サーバ装置との接続を指示することを特徴とする請求項１記載のメディア会議システム。
【請求項１０】
前記メディア会議サーバ装置は、該特定された発言端末装置の接続先が前記メディア会議サーバ装置から前記ストリーミングサーバ装置へ変更されると、前記接続予約端末装置として登録されている聴講端末装置の接続先を前記ストリーミングサーバ装置から前記メディア会議サーバ装置へ変更するように、前記通信回線を介して、前記接続予約端末装置として登録されている聴講端末装置に対して前記メディア会議サーバ装置との接続を指示することを特徴とする請求項９記載のメディア会議システム。
【請求項１１】
通信回線を介して、複数の発言端末装置が接続され、該発言端末装置間でメディア情報を送受信可能にするメディア会議サーバ装置と、前記通信回線を介して、前記メディア会議サーバ装置と接続されるとともに、少なくとも１つの聴講端末装置が接続され、該聴講端末装置に対して前記発言端末装置間で送受されるメディア情報を配信するストリーミングサーバ装置とを備えるメディア会議システムの制御方法であって、
前記メディア会議サーバ装置により、前記聴講端末装置のいずれかから前記通信回線を介して発言端末装置への接続要求を受信すると、前記メディア会議サーバ装置が現在接続する発言端末装置の数に応じて、該接続要求元の聴講端末装置を接続予約端末装置として登録するか、発言端末装置としてメディア会議サーバ装置へ接続するか選択することを特徴とするメディア会議システムの制御方法。
【請求項１２】
通信回線を介して、複数の発言端末装置が接続され、該発言端末装置間でメディア情報を送受信可能にするメディア会議サーバ装置と、前記通信回線を介して、前記メディア会議サーバ装置と接続されるとともに、少なくとも１つの聴講端末装置が接続され、該聴講端末装置に対して前記発言端末装置間で送受されるメディア情報を配信するストリーミングサーバ装置とを備えるメディア会議システムを制御すべく、前記メディア会議サーバ装置により実行されるプログラムであって、
前記聴講端末装置のいずれかから前記通信回線を介して発言端末装置への接続要求を受信すると、前記メディア会議サーバ装置が現在接続する発言端末装置の数に応じて、該接続要求元の聴講端末装置を接続予約端末装置として登録するか、発言端末装置としてメディア会議サーバ装置へ接続するかを選択する手順を有することを特徴とするプログラム。
【請求項１３】
請求項１２記載のプログラムを格納したことを特徴とするコンピュータ読み取り可能な記憶媒体。
【手続補正２】
【補正対象書類名】明細書
【補正対象項目名】００２０
【補正方法】変更
【補正の内容】
【００２０】
本発明は、上記目的を達成するため、通信回線を介して、複数の発言端末装置が接続され、該発言端末装置間でメディア情報を送受信可能にするメディア会議サーバ装置と、前記通信回線を介して、前記メディア会議サーバ装置と接続されるとともに、少なくとも１つの聴講端末装置が接続され、該聴講端末装置に対して前記発言端末装置間で送受されるメディア情報を配信するストリーミングサーバ装置とを備え、前記メディア会議サーバ装置は、前記聴講端末装置のいずれかから前記通信回線を介して発言端末装置への接続要求を受信すると、前記メディア会議サーバ装置が現在接続する発言端末装置の数に応じて、該接続要求元の聴講端末装置を接続予約端末装置として登録するか、発言端末装置としてメディア会議サーバ装置へ接続するかを選択することを特徴とするメディア会議システムを提供する。
【手続補正３】
【補正対象書類名】明細書
【補正対象項目名】００２１
【補正方法】変更
【補正の内容】
【００２１】
本発明は、上記目的を達成するため、通信回線を介して、複数の発言端末装置が接続され、該発言端末装置間でメディア情報を送受信可能にするメディア会議サーバ装置と、前記通信回線を介して、前記メディア会議サーバ装置と接続されるとともに、少なくとも１つの聴講端末装置が接続され、該聴講端末装置に対して前記発言端末装置間で送受されるメディア情報を配信するストリーミングサーバ装置とを備えるメディア会議システムの制御方法であって、前記メディア会議サーバ装置により、前記聴講端末装置のいずれかから前記通信回線を介して発言端末装置への接続要求を受信すると、前記メディア会議サーバ装置が現在接続する発言端末装置の数に応じて、該接続要求元の聴講端末装置を接続予約端末装置として登録するか、発言端末装置としてメディア会議サーバ装置へ接続するか選択することを特徴とするメディア会議システムの制御方法を提供する。
【手続補正４】
【補正対象書類名】明細書
【補正対象項目名】００２２
【補正方法】変更
【補正の内容】
【００２２】
本発明は、上記目的を達成するため、通信回線を介して、複数の発言端末装置が接続され、該発言端末装置間でメディア情報を送受信可能にするメディア会議サーバ装置と、前記通信回線を介して、前記メディア会議サーバ装置と接続されるとともに、少なくとも１つの聴講端末装置が接続され、該聴講端末装置に対して前記発言端末装置間で送受されるメディア情報を配信するストリーミングサーバ装置とを備えるメディア会議システムを制御すべく、前記メディア会議サーバ装置により実行されるプログラムであって、前記聴講端末装置のいずれかから前記通信回線を介して発言端末装置への接続要求を受信すると、前記メディア会議サーバ装置が現在接続する発言端末装置の数に応じて、該接続要求元の聴講端末装置を接続予約端末装置として登録するか、発言端末装置としてメディア会議サーバ装置へ接続するかを選択する手順を有することを特徴とするプログラムを提供する。
【手続補正５】
【補正対象書類名】明細書
【補正対象項目名】００２３
【補正方法】変更
【補正の内容】
【００２３】
本発明は、上記目的を達成するため、上記プログラムを格納したことを特徴とするコンピュータ読み取り可能な記憶媒体を提供する。
【手続補正６】
【補正対象書類名】明細書
【補正対象項目名】００２４
【補正方法】変更
【補正の内容】
【００２４】
本発明によれば、多数のユーザが会議に参加することができるとともに、会議を聴講するユーザに対して、発言する機会を与えることができる。